(57)【特許請求の範囲】
【請求項１】
住宅等の建物の建物躯体を構成する建築構造材であって、
長手方向と直交する方向に所定の間隔をあけて配置される一対の棒状部材と、これら一対の棒状部材間に設けられ、互いに接合される腹材とを備えており、
この腹材は、縦横の框材を矩形枠状に組み立ててなる枠体と、この枠体の両面に貼設される面材とを有する木質パネルで構成されており、
前記棒状部材および框材は角材からなり、
前記棒状部材の角材と木質パネルとは同一厚さに形成され、面一に接合されることを特徴とする建築構造材。
【請求項２】
住宅等の建物の建物躯体を構成する建築構造材であって、
長手方向と直交する方向に所定の間隔をあけて配置される一対の棒状部材と、これら一対の棒状部材間に設けられ、互いに接合される腹材とを備えており、
この腹材は、縦横の框材を矩形枠状に組み立ててなる枠体と、この枠体の両面に貼設される面材とを有する木質パネルで構成されており、
前記一対の棒状部材は、それぞれ複数の角材を軸方向に連結することによって構成されており、
前記腹材を構成する木質パネルは、前記一対の棒状部材の長手方向に連続して複数配置されており、これら複数の木質パネルの棒状部材側の縁部は、それぞれ前記一対の棒状部材に接合されていることを特徴とする建築構造材。
【請求項３】
請求項１または２に記載の建築構造材を門型に組み立ててなる門型フレームであって、
前記建築構造材を垂直に配置してなる柱を、互いに所定の間隔をあけて複数配置するとともに、これら複数の柱用の建築構造材の上端部間に、前記建築構造材を水平に配置してなる梁を架設することによって形成されていることを特徴とする門型フレーム。
【請求項４】
請求項３に記載の門型フレームにおいて、
前記梁用の建築構造材の一対の棒状部材のうち、上方に位置する棒状部材は、前記柱用の建築構造材の上端面に載置されており、
下方に位置する捧状部材は、前記柱用の建築構造材の棒状部材の側面に取り付けられていることを特徴とする門型フレーム。
【請求項５】
長手方向と直交する方向に所定の間隔をあけて配置される一対の棒状部材と、これら一対の棒状部材間に設けられるとともに、縦横の框材を矩形枠状に組み立ててなる枠体と、この枠体の両面に貼設される面材とを有する木質パネルで構成された腹材とを備える建築構造材を、建物躯体を構成する柱および梁のうち、少なくとも梁として用いることによって建物を施工する方法であって、
前記梁用の建築構造材を、それぞれ複数の角材を軸方向に連結してなる一対の棒状部材と、これら一対の棒状部材の長手方向に連続して複数配置された木質パネルによって構成される腹材とを備えたものとし、
さらに、この梁用の建築構造材を、前記木質パネルの上下縁部にそれぞれ前記角材を固定してなる梁構成部材として複数に分割しておき、
互いに所定の間隔をあけて柱を複数配置した後、
これら複数の柱の上端部間に、前記複数の梁構成部材同士を連結していくことで前記梁用の建築構造材を架設することを特徴とする建物の施工方法。
【請求項６】
長手方向と直交する方向に所定の間隔をあけて配置される一対の棒状部材と、これら一対の棒状部材間に設けられるとともに、縦横の框材を矩形枠状に組み立ててなる枠体と、この枠体の両面に貼設される面材とを有する木質パネルで構成された腹材とを備える建築構造材を、建物躯体を構成する柱および梁のうち、少なくとも梁として用いることによって建物を施工する方法であって、
互いに所定の間隔をあけて柱を複数配置し、これら複数の柱の上端部間に、前記梁用の建築構造材を架設するに際し、
前記梁用の建築構造材を、それぞれ複数の角材を軸方向に連結してなる一対の棒状部材と、これら一対の棒状部材の長手方向に連続して複数配置された木質パネルによって構成される腹材とを備えたものとしておき、
前記梁用の建築構造材の下縁に設けられる棒状部材を、前記複数の柱の上端部間に、該棒状部材を構成する複数の角材を軸方向に連結しながら架設し、
これら複数の柱間に架設された棒状部材の上面に、該棒状部材の長手方向に沿って前記複数の木質パネルを取り付けるとともに、該複数の木質パネルを、前記複数の柱の上端部間に架設し、
これら複数の柱間に架設された複数の木質パネルの上面に沿って、前記梁用の建築構造材の上縁に設けられる棒状部材を取り付けるとともに、該棒状部材を、前記複数の柱の上端部間に架設することを特徴とする建物の施工方法。
【請求項７】
請求項５または６に記載の建物の施工方法において、
前記複数の角材同士を、隣り合う前記角材間に配置され、少なくとも一側面に開口部を有する金属製の連結ボックスと、
一方の前記角材に埋設固定され、前記連結ボックスに挿し込まれる第１ボルトと、
他方の前記角材に埋設固定され、前記連結ボックスに挿し込まれる第２ボルトと、
前記連結ボックスにその開口部から挿入されたうえで、前記第１ボルトに螺合して締め付けられる第１ナットと、
前記連結ボックスにその開口部から挿入されたうえで、前記第２ボルトに螺合して締め付けられる第２ナットとを備える連結金具によって連結することを特徴とする建物の施工方法。
【請求項８】
請求項７に記載の建物の施工方法において、
前記角材の端部には  この角材の端面および外周面を覆う座金が設けられていることを特徴とする建物の施工方法。
【発明の詳細な説明】
【技術分野】
【０００１】
本発明は、住宅等の建物の建物躯体を構成する建築構造材および門型フレーム、建物の施工方法に関する。
【背景技術】
【０００２】
近年、住宅等の建物として、長期間の構造的耐久性を有しつつ、居住空間の可変性を有した、所謂、スケルトン・インフィル住宅が知られている（例えば、特許文献１参照）。
スケルトンとは、住宅の柱や梁や床等の建物躯体部分を意味し、インフィルとは、スケルトンの内側の住宅間取り全体を含む内装・設備等を意味する。
スケルトン・インフィル住宅は、スケルトンとインフィルとを構造的に分離した構成とし、スケルトンを高強度に構築して、長期間の耐久性を有するようにするとともに、間取りや内装・設備等を、可変性を有するように構成したものである。
したがって、スケルトン・インフィル住宅は、長年に亘って居住することができ、かつ居住者のライフスタイルや家族構成の変化に応じて、あるいは居住者の多様なニーズに合わせて、比較的容易に改装することが可能である。
【先行技術文献】
【特許文献】
【０００３】
【特許文献１】特開平２００８−０５０８３２号公報
【発明の概要】
【発明が解決しようとする課題】
【０００４】
例えば枠組壁工法や在来軸組工法等の既存の構造は、柱や梁あるいは耐力壁等の建築構造材で、屋根や床等の上部構造の荷重や積載荷重を支持するように構成されている。
ところで、スケルトン・インフィル住宅は、上述のように長期間の耐久性を有するものとしなければならない。ところが、既存の構造における柱や梁、耐力壁等の建築構造材では、スケルトン（以下、建物躯体）を高強度に構築するための十分な強度を得られない場合がある。
【０００５】
本発明の課題は、建物躯体の長期的な耐久性を実現する高強度な建築構造材と、建築構造材を門型に組み立ててなる門型フレームと、建築構造材を用いる建物の施工方法とを提供することを目的とする。
【課題を解決するための手段】
【０００６】
請求項１に記載の発明は、例えば図１〜図６に示すように、住宅等の建物の建物躯体１を構成する建築構造材２０であって、
長手方向と直交する方向に所定の間隔をあけて配置される一対の棒状部材２１，２１と、これら一対の棒状部材２１，２１間に設けられ、互いに接合される腹材２２とを備えており、
この腹材２２は、縦横の框材２４ａを矩形枠状に組み立ててなる枠体２４と、この枠体２４の両面に貼設される面材２５とを有する木質パネル２３で構成されており、
前記棒状部材２１および框材２４ａは角材からなり、
前記棒状部材２１の角材と木質パネル２３とは同一厚さに形成され、面一に接合されることを特徴とする。
【０００７】
請求項１に記載の発明によれば、長手方向と直交する方向に所定の間隔をあけて配置される一対の棒状部材２１，２１と、これら一対の棒状部材２１，２１間に設けられ、互いに接合される腹材２２とを備えており、この腹材２２は、縦横の框材２４ａを矩形枠状に組み立ててなる枠体２４と、この枠体２４の両面に貼設される面材２５とを有する木質パネル２３で構成されているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を柱や梁として用いることによって、屋根や床等の上部構造の荷重や積載荷重を確実かつ十分に支持することが可能な建物躯体１を構成することができるので、建物躯体１の長期的な耐久性の維持を実現することが可能となる。
【０００９】
また、前記棒状部材２１および框材２４ａは角材からなるので、これら棒状部材２１および框材２４ａそれぞれを適宜加工したり、これら棒状部材２１と框材２４ａとを互いに接合しやすい。
【００１１】
また、前記棒状部材２１の角材と木質パネル２３とは同一厚さに形成され、面一に接合されるので、これら互いに接合された棒状部材２１の角材と木質パネル２３との表面に、例えば防水シートや内外装材等を取り付ける際に支障となる段差等が生じるのを防ぐことができ、防水シートや内外装材等を確実に取り付けることができる。
【００１２】
請求項２に記載の発明は、例えば図１〜図６に示すように、住宅等の建物の建物躯体１を構成する建築構造材２０であって、
長手方向と直交する方向に所定の間隔をあけて配置される一対の棒状部材２１，２１と、これら一対の棒状部材２１，２１間に設けられ、互いに接合される腹材２２とを備えており、
この腹材２２は、縦横の框材２４ａを矩形枠状に組み立ててなる枠体２４と、この枠体２４の両面に貼設される面材２５とを有する木質パネル２３で構成されており、
前記一対の棒状部材２１，２１は、それぞれ複数の角材２１ａ，２１ａを軸方向に連結することによって構成されており、
前記腹材２２を構成する木質パネル２３は、前記一対の棒状部材２１，２１の長手方向に連続して複数配置されており、これら複数の木質パネル２３，２３の棒状部材２１側の縁部は、それぞれ前記一対の棒状部材２１，２１に接合されていることを特徴とする。
【００１３】
請求項２に記載の発明によれば、長手方向と直交する方向に所定の間隔をあけて配置される一対の棒状部材２１，２１と、これら一対の棒状部材２１，２１間に設けられ、互いに接合される腹材２２とを備えており、この腹材２２は、縦横の框材２４ａを矩形枠状に組み立ててなる枠体２４と、この枠体２４の両面に貼設される面材２５とを有する木質パネル２３で構成されているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を柱や梁として用いることによって、屋根や床等の上部構造の荷重や積載荷重を確実かつ十分に支持することが可能な建物躯体１を構成することができるので、建物躯体１の長期的な耐久性の維持を実現することが可能となる。
また、前記一対の棒状部材２１，２１は、それぞれ複数の角材２１ａ，２１ａを軸方向に連結することによって構成されており、前記腹材２２を構成する木質パネル２３は、前記一対の棒状部材２１，２１の長手方向に連続して複数配置されており、これら複数の木質パネル２３，２３の棒状部材２１側の縁部は、それぞれ前記一対の棒状部材２１，２１に接合されているので、建築構造材２０を分割しておくことができる。
これによって、長尺で輸送しにくい建築構造材２０であっても予め分割しておくことができるので、容易に輸送することができる。しかも、現場等で、分割された部材同士を連結すれば、高強度な建築構造材２０を確実に得ることができる。
【００１４】
請求項３に記載の発明は、例えば図２〜図５に示すように、請求項１または２に記載の建築構造材２０を門型に組み立ててなる門型フレーム４であって、
前記建築構造材２０を垂直に配置してなる柱２を、互いに所定の間隔をあけて複数配置するとともに、これら複数の柱２用の建築構造材２０，２０の上端部間に、前記建築構造材２０を水平に配置してなる梁３を架設することによって形成されていることを特徴とする。
【００１５】
請求項３に記載の発明によれば、前記建築構造材２０を垂直に配置してなる柱２を、互いに所定の間隔をあけて複数配置するとともに、これら複数の柱２用の建築構造材２０，２０の上端部間に、前記建築構造材２０を水平に配置してなる梁３を架設することによって形成されているので、高い強度の建築構造材２０同士を門型に組み合わせてなる高い強度の門型フレーム４を得ることができる。
また、このような門型フレーム４を用いることで、屋根や床等の上部構造の荷重や積載荷重を確実かつ十分に支持することが可能な建物躯体１を構成することができるので、建物躯体１の長期的な耐久性の維持を実現することが可能となる。
【００１６】
請求項４に記載の発明は、例えば図２〜図５に示すように、請求項３に記載の門型フレーム４において、
前記梁３用の建築構造材２０の一対の棒状部材２１，２１のうち、上方に位置する棒状部材２１は、前記柱２用の建築構造材２０の上端面に載置されており、
下方に位置する棒状部材２１は、前記柱２用の建築構造材２０の棒状部材２１の側面に取り付けられていることを特徴とする。
【００１７】
請求項４に記載の発明によれば、前記梁３用の建築構造材２０の一対の棒状部材２１，２１のうち、上方に位置する棒状部材２１は、前記柱２用の建築構造材２０の上端面に載置されており、下方に位置する棒状部材２１は、前記柱２用の建築構造材２０の棒状部材２１の側面に取り付けられているので、前記上方に位置する棒状部材２１と、前記柱２用の建築構造材２０とを梁勝ち納まりとすることができ、前記下方に位置する棒状部材２１と、前記柱２用の建築構造材２０とを柱勝ち納まりとすることができる。
これによって、前記柱２と梁３とを、単に梁勝ちに納めたり、単に柱勝ちに納めたりする場合に比して強固に接合できるので、より高い強度の門型フレーム４を得ることができる。
【００１８】
請求項５に記載の発明は、例えば図１〜図６に示すように、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備える建築構造材２０を、建物躯体１を構成する柱２および梁３のうち、少なくとも梁３として用いることによって建物を施工する方法であって、
前記梁３用の建築構造材２０を、それぞれ複数の角材２１ａ，２１ａを軸方向に連結してなる一対の棒状部材２１，２１と、これら一対の棒状部材２１，２１の長手方向に連続して複数配置された木質パネル２３，２３によって構成される腹材２２とを備えたものとし、
さらに、この梁３用の建築構造材２０を、前記木質パネル２３の上下縁部にそれぞれ前記角材２１ａを固定してなる梁構成部材３ａとして複数に分割しておき、
互いに所定の間隔をあけて柱２を複数配置した後、
これら複数の柱２，２の上端部間に、前記複数の梁構成部材３ａ，３ａ同士を連結していくことで前記梁３用の建築構造材２０を架設することを特徴とする。
【００１９】
請求項５に記載の発明によれば、前記梁３用の建築構造材２０を、前記木質パネル２３の上下縁部にそれぞれ前記角材２１ａを固定してなる梁構成部材３ａとして複数に分割しておき、互いに所定の間隔をあけて柱２を複数配置した後、これら複数の柱２，２の上端部間に、前記複数の梁構成部材３ａ，３ａ同士を連結していくことで前記梁３用の建築構造材２０を架設するので、前記梁３用の建築構造材２０が輸送しにくい長さに設定されていたとしても容易に輸送することができる。
また、前記梁構成部材３ａを、前記木質パネル２３の上下縁部にそれぞれ前記角材２１ａを固定することによって形成するので、前記角材２１ａと木質パネル２３とを別個に前記柱２，２の上端部間に架設していく場合に比して、効率よく前記梁３用の建築構造材２０を前記柱２，２の上端部間に架設することができる。
また、前記建築構造材２０は、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備えているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を、建物躯体１を構成する柱２および梁３のうち、少なくとも梁３として用いることによって、屋根や床等の上部構造の荷重や積載荷重を確実かつ十分に支持することが可能な建物躯体１を構成することができるので、建物躯体１の長期的な耐久性の維持を実現することが可能となる
【００２０】
請求項６に記載の発明は、例えば図１〜図６に示すように、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備える建築構造材２０を、建物躯体１を構成する柱２および梁３のうち、少なくとも梁３として用いることによって建物を施工する方法であって、
互いに所定の間隔をあけて柱２を複数配置し、これら複数の柱２，２の上端部間に、前記梁３用の建築構造材２０を架設するに際し、
前記梁３用の建築構造材２０を、それぞれ複数の角材２１ａ，２１ａを軸方向に連結してなる一対の棒状部材２１，２１と、これら一対の棒状部材２１，２１の長手方向に連続して複数配置された木質パネル２３，２３によって構成される腹材２２とを備えたものとしておき、
前記梁３用の建築構造材２０の下縁に設けられる棒状部材２１を、前記複数の柱２，２の上端部間に、該棒状部材２１を構成する複数の角材２１ａ，２１ａを軸方向に連結しながら架設し、
これら複数の柱２，２間に架設された棒状部材２１の上面に、該棒状部材２１の長手方向に沿って前記複数の木質パネル２３，２３を取り付けるとともに、該複数の木質パネル２３，２３を、前記複数の柱２，２の上端部間に架設し、
これら複数の柱２，２間に架設された複数の木質パネル２３，２３の上面に沿って、前記梁３用の建築構造材２０の上縁に設けられる棒状部材２１を取り付けるとともに、該棒状部材２１を、前記複数の柱２，２の上端部間に架設することを特徴とする。
【００２１】
請求項６に記載の発明によれば、前記梁３用の建築構造材２０の下縁に設けられる棒状部材２１を、前記複数の柱２，２の上端部間に、該棒状部材２１を構成する複数の角材２１ａ，２１ａを軸方向に連結しながら架設し、これら複数の柱２，２間に架設された棒状部材２１の上面に、該棒状部材２１の長手方向に沿って前記複数の木質パネル２３，２３を取り付けるとともに、該複数の木質パネル２３，２３を、前記複数の柱２，２の上端部間に架設し、これら複数の柱２，２間に架設された複数の木質パネル２３，２３の上面に沿って、前記梁３用の建築構造材２０の上縁に設けられる棒状部材２１を取り付けるとともに、該棒状部材２１を、前記複数の柱２，２の上端部間に架設するので、前記梁３用の建築構造材２０が輸送しにくい長さに設定されていたとしても容易に輸送することができる。
また、前記複数の角材２１ａ，２１ａと、前記複数の木質パネル２３とを別個に前記柱２の上端部間に架設することができるので、これら複数の角材２１ａ，２１ａと複数木質パネル２３とを、それぞれ正確に、前記柱２の上端部間に架設することができ、延いては前記梁３用の建築構造材を、前記柱２の上端部間に正確に架設することが可能となる。
また、前記建築構造材２０は、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備えているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を、建物躯体１を構成する柱２および梁３のうち、少なくとも梁３として用いることによって、屋根や床等の上部構造の荷重や積載荷重を確実かつ十分に支持することが可能な建物躯体１を構成することができるので、建物躯体１の長期的な耐久性の維持を実現することが可能となる。
【００２２】
請求項７に記載の発明は、例えば図２〜図５に示すように、請求項５または６に記載の建物の施工方法において、
前記複数の角材２１ａ，２１ａ同士を、隣り合う前記角材２１ａ間に配置され、少なくとも一側面に開口部３１ａを有する金属製の連結ボックス３１と、
一方の前記角材２１ａに埋設固定され、前記連結ボックス３１に挿し込まれる第１ボルト３２と、
他方の前記角材２１ａに埋設固定され、前記連結ボックス３１に挿し込まれる第２ボルト３３と、
前記連結ボックス３１にその開口部３１ａから挿入されたうえで、前記第１ボルト３２に螺合して締め付けられる第１ナット３５と、
前記連結ボックス３１にその開口部３１ａから挿入されたうえで、前記第２ボルト３３に螺合して締め付けられる第２ナット３６とを備える連結金具３０によって連結することを特徴とする。
【００２３】
請求項７に記載の発明によれば、前記複数の角材２１ａ，２１ａ同士を、前記連結金具３０によって連結するので、前記一方の角材２１ａに埋設固定した第１ボルト３２を連結ボックス３１に挿し込み、この第１ボルト３２に連結ボックス３１の開口部３１ａから挿入された第１ナット３５を螺合して締め付けるとともに、前記他方の角材２１ａに埋設固定した第２ボルト３３を前記連結ボックス３１に挿し込み、この第２ボルト３３に前記開口部３１ａから挿入された第２ナット３６を螺合して締め付けることによって、前記角材２１ａ，２１ａ同士を強固に連結して、前記一対の棒状部材２１，２１を形成でき、前記木質パネル２３の上下縁部をそれぞれ前記一対の棒状部材２１，２１に接合することによって、より高強度の建築構造材２０を得ることができる。
【００２４】
請求項８に記載の発明は、例えば図４〜図７に示すように、請求項７に記載の建物の施工方法において、
前記角材２１ａの端部には、この角材２１ａの端面および外周面を覆う座金３８が設けられていることを特徴とする。
【００２５】
請求項８に記載の発明によれば  前記角材２１ａの端部には、この角材２１ａの端面および外周面を覆う座金３８が設けられているので、この座金３８によって前記角材２１ａの端部を外側から補強できる。また、座金３８は、角材２１ａの端部の保護や緩み防止の機能を発揮することができる。
【発明の効果】
【００２６】
本発明によれば、住宅等の建物の建物躯体を構成する建築構造材が、長手方向と直交する方向に所定の間隔をあけて配置される一対の棒状部材と、これら一対の棒状部材間に設けられる腹材とを備えており、この腹材は、縦横の框材を矩形枠状に組み立ててなる枠体と、この枠体の両面に貼設される面材とを有する木質パネルで構成されているので、腹材自体の強度を確保できる。さらに、この高強度な腹材を一対の棒状部材間に挟み込むようにして設けるので、例えば腹材だけで建築構造材を形成するよりも、さらに高い強度の建築構造材を得ることができる。
そして、このような建築構造材を柱や梁として用いることによって、屋根や床等の上部構造の荷重や積載荷重を確実かつ十分に支持することが可能な建物躯体を構成することができるので、建物躯体の長期的な耐久性の維持を実現することが可能となる。
【図面の簡単な説明】
【００２７】
【図１】本発明の建築構造材を示す斜視図である。
【図２】建築構造材を用いて形成される建物躯体を示す斜視図である。
【図３】梁構成部材として複数に分割された建築構造材を示す分解正面図である。
【図４】建築構造材を垂直に配置してなる柱と、建築構造材を水平に配置してなる梁との接合部の構造を示す断面図である。
【図５】建築構造材を垂直に配置してなる柱と、建築構造材を水平に配置してなる梁との接合部の構造を示す断面図である。
【図６】建築構造材を垂直に配置してなる柱と、基礎との接合部の構造を示す断面図である。
【図７】角材の端部と、この角材の端部に取り付けられた座金とを示す分解斜視図である。
【図８】梁構成部材として複数に分割された建築構造材を示す分解正面図である。
【発明を実施するための形態】
【００２８】
以下、図面を参照して本発明の実施の形態について説明する。
図２において符号１は、建物躯体を示す。この建物躯体１は、長期間の構造的耐久性を有しつつ、居住空間の可変性を有したスケルトン・インフィル住宅のスケルトンの部分を指している。すなわち、スケルトンとは、住宅の柱や梁や床等の建物躯体部分を意味している。
なお、インフィルとは、スケルトンの内側の住宅間取り全体を含む内装・設備等を意味しており、本実施の形態では説明を省略する。
【００２９】
このような建物躯体１は２階建て構造になっており、基礎５に沿って、この基礎５の上面に土台６が設けられるとともに、土台６，６間に大引７が架設されている。そして、これら土台６および大引７間に床パネル（図示せず）を架設することによって建物下階の床が形成されるようになっている。
また、前記土台６および大引７上に、建築構造材２０を垂直に配置するようにして複数の柱２が設けられており、これら複数の柱２，２間に、建築構造材２０を水平に配置するようにして梁３が設けられている。
【００３０】
また、前記建物下階に設けられる複数の梁３，３の上部には、建物躯体１の周縁部に沿うようにして胴差９が設けられており、この胴差９の枠内に配置されるようにして、床梁１０が設けられている。
そして、これら胴差９および床梁１０とで形成された枠内には、床パネル１１が設けられており建物上階の床を形成している。
【００３１】
また、この建物上階には、建物躯体の外部へと突出するバルコニー床パネル１２が設けられている。
さらに、建物上階の床上には、建築構造材２０を垂直に配置するようにして複数の柱２が設けられており、これら複数の柱２，２間に、建築構造材２０を水平に配置するようにして梁３が設けられている。
【００３２】
また、前記建物下階に設けられる複数の梁３，３の上部には、建物躯体１の周縁部に沿うようにして胴差１４が設けられており、この胴差１４の枠内に配置されるようにして、屋根パネル１５が設けられている。
【００３３】
ここで、前記建築構造材２０は、長手方向と直交する方向に所定の間隔をあけて配置される一対の棒状部材２１，２１と、これら一対の棒状部材２１，２１間に設けられる腹材２２とを備えている。
なお、この建築構造材２０は、上述のように、垂直に配置されることによって柱２として用いることができるとともに、水平に配置することによって梁３として用いることができる。その他、適宜、所定の角度となるように傾斜して配置するなどしてもよい。
【００３４】
また、前記棒状部材２１は、それぞれ複数の角材２１ａ，２１ａを軸方向に連結することによって構成されている。
この角材２１ａは、複数のラミナを積層して形成される集成材が用いられており、前記棒状部材２１を構成する複数の角材２１ａ，２１ａは、その断面形状が等しくなるように設定されている。
また、これら宴数の角材２１ａ，２１ａは断面四角形に形成されるものである。なお、本実施の形態においては、これら複数の角材２１ａ，２１ａは断面正四角形に形成されている。
【００３５】
なお、前記一対の棒状部材２１，２１は同じ長さに設定されていなくてもよく、本実施の形態においては、図３に示すように、前記建築構造材２０を構成する木質パネル２３の一側縁部に設けられる棒状部材２１と、他側縁部に設けられる棒状部材２１とは長さが異なるように設定されている。
また、一側縁部の棒状部材２１を構成する複数の角材２１ａ，２１ａもそれぞれ長さが異なるように設定されており、同じく、他側縁部の棒状部材２１を構成する複数の角材２１ａ，２１ａもそれぞれ長さが異なるように設定されている。
【００３６】
また、前記複数の角材２１ａ，２１ａは、図２および図３に示すように、連結金具３０によって連結されている。
なお、本実施の形態においては、前記複数の角材２１ａ，２１ａは連結金具３０によって連結されているものとしたが、これに限られるものではなく、図１に示すように連結金具３０を使用せずに複数の角材２１ａ，２１ａ同士を接合してもよい。連結金具３０を使用しない場合は、例えば隣り合う角材２１ａ，２１ａ同士を接着剤によって接合したり、一方の角材２１ａにほぞを形成するとともに他方の角材２１ａにほぞ穴を形成し、これら組み合わせることによって隣り合う角材２１ａ，２１ａ同士を接合したり、または、その他の接合方法によって接合する。
【００３７】
前記腹材２２は、縦横の框材２４ａを矩形枠状に組み立ててなる枠体２４と、この枠体２４の両面に貼設される面材２５とを有する木質パネル２３で構成されている。
この木質パネル２３とは、壁や床、屋根といった建物の構成要素を予め工場にてパネル化しておき、施工現場でこれらのパネルを組み立てて建物を構築するパネル工法に利用される建築用パネルと同様の機能を有するものである。
なお、前記建物躯体１の床を構成する床パネル１１や屋根パネル１５は、縦横の框材を矩形枠状に組み立ててなる枠体と、この枠体の上面に貼設される面材とを有するものである。また、枠体内には、適宜、補強桟材が組み付けられる。
【００３８】
また、この木質パネル２３は、上述のように枠体２４と、面材２５とを有している。さ
らに、その他にも、前記縦横の框材２４ａによって組まれた矩形枠の内部に補助桟材が組み付けられている。
さらに、前記面材２５の内側、すなわち木質パネル２３の内部中空部に、グラスウールやロックウール等の断熱材を装填することで、断熱性に優れた建築構造材２０とすることができる。特に、屋外に面する木質パネル２３の内部中空部に断熱材を充填することが好ましい。
また、前記縦横の框材２４ａは断面四角形に形成された角材からなる。なお、本実施の形態において、これら縦横の框材２４ａは断面矩形に形成されている。
【００３９】
また、前記木質パネル２３には、図２，図３，図５，図６に示すように、配線用穴部２８やダクト用穴部２９が形成されている。
前記配線用穴部２８は、前記柱２用の建築構造材２０を構成する木質パネル２３の面材２５に形成されている。また、この配線用穴部２８が形成される柱２用の建築構造材２０は、建物躯体１内に複数配置されており、例えば間取りを変更する際に適宜対応して配線できるようになっている。
前記ダクト用穴部２９は、前記梁３用の建築構造材２０を構成する木質パネル２３の面材２５に形成されている。また、このダクト用穴部２９は、図３に示すように前記梁３の長さ方向に沿って複数形成されており、例えば間取りを変更する際に適宜対応してダクトを配置できるようになっている。
【００４０】
そして、前記腹材２２を構成する木質パネル２３は、前記一対の棒状部材２１，２１の長手方向に連続して複数配置されており、これら複数の木質パネル２３，２３の棒状部材２１側の縁部は、それぞれ前記一対の棒状部材２１，２１に接合されている。
なお、隣り合う木質パネル２３，２３同士は、接着剤によって互いに接合されている。
また、腹材２２と一対の棒状部材２１，２１とは、接着剤や釘等の止着材によって接合されている。
【００４１】
また、これら各木質パネル２３，２３は同じ長さに設定されていなくてもよく、本実施の形態においては、図３に示すように、前記建築構造材２０の両端部に設けられる木質パネル２３，２３の長さが、他の木質パネル２３よりも短くなるように設定されている。
さらに、これら木質パネル２３の長さは、前記角材２１ａの長さとは異なるものとなるように設定されている。
【００４２】
また、これら各木質パネル２３と、前記各角材２１ａ，２１ａとは、互いに長さが異なるように設定されており、これら木質パネル２３と角材２１ａとは、各木質パネル２３の端部の位置と、各角材２１ａの端部の位置とが揃わないようにして接合されている。
また、これら前記一対の棒状部材２１，２１のうち、一方の棒状部材２１を構成する複数の角材２１ａ，２１ａと、他方の棒状部材２１を構成する複数の角材２１ａ，２１ａ同士も、互いに長さが異なるように設定されている。
このように、前記建築構造材２０は、各木質パネル２３の端部の位置と、各角材２１ａの端部の位置とが揃わないように形成されているので、曲げ強度が高くなる。
【００４３】
また、前記棒状部材２１の角材２１ａと木質パネル２３とは同一厚さに形成され、面一に接合されている。すなわち、図１に示すように、前記棒状部材２１の角材２１ａの横の厚さと、前記木質パネル２３を構成する框材２４ａと２文の面材２５，２５との並設方向の長さとが略等しくなるように設定されている。
さらに、この棒状部材２１の角材２１ａと木質パネル２３とが面一に接合されているので、建築構造材２０の両側面に、該建築構造材２０の長さ方向に沿ってフラットな面を形成することができる。
【００４４】
また、以上のような建築構造材２０は、上述のように柱２や梁３として用いることができ、さらに、これら柱２および梁３を組み合わせて門型フレーム４を形成することができる。そして、本実施の形態の建物躯体１は、この門型フレーム４を複数用いて構成されている。
すなわち、建物躯体１は、図２に示すように、門型フレーム４を、前記建物下階および建物上階の床上の両端部に配置するとともに、これら建物下階および建物上階の床上の両端部の門型フレーム４，４間に、それぞれ所定の間隔で複数配置することによって構成されている。
【００４５】
この門型フレーム４は、図２、図４および図５に示すように、前記建築構造材２０を垂直に配置してなる柱２を、互いに所定の間隔をあけて複数配置するとともに、これら複数の柱２用の建築構造材２０，２０の上端部間に、前記建築構造材２０を水平に配置してなる梁３を架設することによって形成されている。
【００４６】
また、前記柱２の上端部に、前記梁３の側端部を接合する際は、互いの棒状部材２１，２１同士を連結金具３０によって連結するようにして行われる。
より詳細には、前記梁３用の建築構造材２０の一対の棒状部材２１，２１のうち、上方に位置する棒状部材２１は、前記柱２用の建築構造材２０の上端面に載置されており、下方に位置する棒状部材２１は、前記柱２用の建築構造材２０の棒状部材２１の側面に、この棒状部材２１の端面と前記柱２用の建築構造材２０の側面とを前記連結金具３０によって連結するようにして取り付けられている。
【００４７】
また、前記建物下階および建物上階の床上の両端部にそれぞれ配置された門型フレーム４の柱２用の建築構造材２０には、平面視において、この建築構造材２０と直交して配置される補強柱１６が接合されている。
そして、これら前記建物下階および建物上階の床上の両端部にそれぞれ配置された門型フレーム４の柱２用の建築構造材２０と、補強柱１６とによって、建物躯体１のコーナー部に、平面視Ｌ宇型の柱を形成できるようになっている。
この補強柱１６は、前記門型フレーム４の柱２用の建築構造材２０の建物コーナー側の棒状部材２１と所定の間隔をあけて配置されるコーナー用棒状部材１７と、これら棒状部材２１，１７間に設けられるコーナー用木質パネル１８とを備えている。
なお、このコーナー用木質パネル１８は、前記木質パネル２３と同様に、縦横の框材を矩形枠状に組み立ててなる枠体と、この枠体の両面に貼設される面材とを有するものである。また、枠体内には、適宜、補強桟材が組み付けられる。
【００４８】
さらに、前記補強柱１６と、前記建物下階および建物上階の床上の両端部にそれぞれ配置された門型フレーム４を除く門型フレーム４，４との間、および、これら建物下階および建物上階の床上の両端部にそれぞれ配置された門型フレーム４を除く門型フレーム４，４間には、小壁８，１３がそれぞれ架設されている。
なお、これら建物下階の小壁８および建物上階の小壁１３は、前記木質パネル２３と同様に、縦横の框材を矩形枠状に組み立ててなる枠体と、この枠体の両面に貼設される面材とを有するものである。また、枠体内には、適宜、補強桟材が組み付けられる。
【００４９】
また、前記建物躯体１は２階建て構造となっているため、建物上階にも、前記柱２が配置されることになる。前記建築構造材２０を垂直に配置してなる建物上階の柱２は、前記建築構造材２０を垂直に配置してなる建物下階の柱２の上方に、前記建築構造材２０を水平に配置してなる梁３と建物上階の床とを介して設けられている。
なお、この上階の床とは、図２に示すように、前記胴差９と床パネル１１とを指しており、これら胴差９と床パネル１１の端部とが当接する部分の上面に、前記建物上階の柱２を構成する建築構造材２０の棒状部材２１が立設されている。
そして、前記梁３と上階の床（胴差９および床パネル１１）とを介して、前記建物下階の柱２と建物上階の柱２とを接合する際は、互いの棒状部材２１，２１同士を連結金具３０によって連結するようにして行われる。
【００５０】
前記棒状部材２１，２１同士、または複数の角材２１ａ，２１ａ同士を連結する連結金具３０は、図３〜図６に示すように、連結ボックス３１、第１ボルト３２、第２ボルト３３、第１ナット３５、第２ナット３６等を備えている。
連結ボックス３１は、箱状に形成された鉄製のものであり、対向する側面に開口部３１ａ，３１ａが形成されている。この開口部３１ａは略側面全体に形成されたものであり、スパナやレンチ、ドライバー等の工具を連結ボックス３１内に挿入できるような大きさとなっている。また、これら開口部３１ａ，３１ａが形成された側面とは異なる連結ボックス３１の対向する側面には、側壁３１ｂ，３１ｂが設けられている。
また、連結ボックス３１の両端面の中央部には、ボルト挿通孔が同軸に形成されており、このボルト挿通孔は前記第１ボルト１１、第２ボルト１２を挿通可能な直径となっている。
【００５１】
さらに、連結ボックス３１の一方の端面には、ビス孔が、ボルト挿通孔を挟んで、端面の対角方向に対称的に配置されており、これらビス孔にはビスが挿通され、このビスは前記角材２１ａにねじ込まれる。
このようにビスを角材２１ａにねじ込めば、前記連結ボックス３１と角材２１ａとの仮連結を行ったり、角材２１ａの軸回りの回転を防止できたりする。
【００５２】
前記第１ボルト３２は、一端部が、前記角材２１ａに埋設固定されるとともに、他端部が、前記連結ボックス３１の端面に形成されているボルト挿通孔を通して連結ボックス３１に挿し込まれるものである。
なお、前記第１ボルト３２が埋設固定される角材２１ａには、それぞれボルト挿通孔２１ｂが形成されている。また、第１ボルト３２の直径は、ボルト挿通孔２１ｂの内径より小さくなっており、これによって、第１ボルト３２とボルト挿通孔２１ｂの内壁との間に隙間を形成できる。そして、この隙間には、例えばエポキシ系接着剤やウレタン系接着剤等の接着剤が充填される。
【００５３】
前記第１ナット３５は、前記連結ボックス３１に挿し込まれる第１ボルト３２に螺合されるものである。この第１ボルト３２に螺合させる際は、前記連結ボックス３１の開口部３１ａから挿入するようにして行われる。
なお、この第１ナット３５と前記連結ボックス３１の端面との間には、図示しない座金が介在される。
【００５４】
前記第２ボルト３３は、一端部が、前記角材２１ａに埋設固定されるとともに、他端部が、前記連結ボックス３１の端面に形成されているボルト挿通孔を通して連結ボックス３１に挿し込まれるものである。
なお、前記第２ボルト３３が埋設固定される角材２１ａには、それぞれボルト挿通孔２１ｃまたは貫通孔２７が形成されている。また、第２ボルト３３の直径は、ボルト挿通孔２１ｃおよび貫通孔２７の内径より小さくなっており、これによって、第２ボルト３３とボルト挿通孔２１ｃおよび貫通孔２７の内壁との間に隙間を形成できる。そして、この隙間には、例えばエポキシ系接着剤やウレタン系接着剤等の接着剤が充填される。
【００５５】
前記第２ナット３６は、前記連結ボックス３１に挿し込まれる第２ボルト３３に螺合されるものである。この第２ボルト３３に螺合させる際は、前記連結ボックス３１の開口部３１ａから挿入するようにして行われる。
なお、この第２ナット３６と前記連結ボックス３１の端面との間には、図示しない座金が介在される。
また、第２ボルト３３には、前記第２ナット３６とともに前記連結ボックス３１の端面を形成する壁部を挟むようにして第３ナット３７が螺合されている。さらに、この第３ナット３７と、前記連結ボックス３１の端面を形成する壁部との間には、座金３７ａが介在している。
そして、この第２ナット３６および第３ナット３７をスパナやレンチ等の工具によって締め付けることによって、複数の角材２１ａ，２１ａと連結ボックス３１とが強固に連結される。この連結された状態では、図４〜図６に示すように、前記角材２１ａの端面と連結ボックス３１の端面とに所定の隙間が形成される。
【００５６】
また、例えば、前記柱２の上端部に、前記梁３の側端部を、互いの棒状部材２１同士を連結金具３０によって連結するようにして接合する際や、建物下階の柱２の棒状部材２１，２１と、建物上階の柱２の棒状部材２１，２１とを連結する際において、前記第２ボルト３３だけでは長さが足りない場合がある。
その場合、前記第２ボルト３３には、図４および図５に示すように、継手ナット３４ａを介して延長ボルト３４が継手される。また、この継手ナット３４ａとして、通常のナットよりも軸方向に沿って長尺な高ナットが用いられている。
【００５７】
この延長ボルト３４が設けられる位置は、前記第２ボルト３３の延長線上であり、例えば前記角材２１ａに形成されるボルト挿通孔２１ｃや、柱２用の建築構造材２０に形成されるボルト挿通孔２６等に挿入固定される。
また、これらボルト挿通孔２１ｃ，２６の、第２ボルト３３と延長ボルト３４とが前記継手ナット３４ａによって継手されるべき位置には、この継手ナット３４ａの形状に合わせて切り欠かれた切欠部２１ｄ，２６ａがそれぞれ形成されている。
【００５８】
なお、前記ボルト挿通孔２６は、図４に示すように、前記柱２の上端部に、前記梁３の側端部を、互いの棒状部材２１同士を連結金具３０によって達結するようにして接合する際において、前記柱２用の建築構造材２０の梁側面から内部にかけて、前記梁３を構成する建築構造材２０の一対の棒状部材２１，２１のうちの下方に位置する棒状部材２１の延長線に沿って形成されている。すなわち、このボルト挿通孔２６は、前記柱２の建物内部側の棒状部材２１から、木質パネル２３の框材２４ａおよび補助桟材２４ｂにかけて形成されている。
【００５９】
また、前記ボルト挿通孔２１ｃは、図５に示すように、建物下階の柱２の棒状部材２１，２１と、建物上階の柱２の棒状部材２１，２１とを連結する際において、下階の柱２の一対の棒状部材２１，２１の上端面から、該棒状部材２１，２１の軸芯に沿って形成されており、貫通孔２７と連続している。また、前記切欠部２１ｄは、該一対の棒状部材２１，２１の上端部に形成されている。
【００６０】
次に、前記柱２を構成する建築構造材２０の上端部に、前記梁３を構成する建築構造材２０の側端部を接合してなる建築構造材２０の接合構造について説明する。
【００６１】
すなわち、図４に示すように、前記建築構造材２０を垂直に配置してなる柱２の上端部に、前記建築構造材２０を水平に配置してなる梁３の側端部が、互いの棒状部材２１同士を連結金具３０によって連結するようにして接合されている。
そして、前記梁３用の建築構造材２０の一対の棒状部材２１，２１のうち、上方に位置する棒状部材２１は、前記柱２用の建築構造材２０の上端面に載置されており、下方に位置する棒状部材２１は、前記柱２用の建築構造材２０の棒状部材２１の側面に、この棒状部材２１の端面と前記柱２用の建築構造材２０の側面とを前記連結金具３０によって連結するようにして取り付けられている。
【００６２】
そして、前記連結金具３０の連結ボックス３１は、前記下方に位置する棒状部材２１の端面と、前記柱２用の建築構造材２０の棒状部材２１の側面との間に配置されている。
また、前記第１ボルト３２は、前記下方に位置する棒状部材２１の端面に埋設固定されるとともに、前記連結ボックス３１に挿し込まれている。
【００６３】
また、前記第２ボルト３３は、前記柱２用の建築構造材２０の棒状部材２１の側面に埋設固定されるとともに、前記連結ボックス３１に挿し込まれている。
なお、この第２ボルト３３は、前記柱２用の建築構造材２０に形成されたボルト挿通孔２６に挿入固定された延長ボルト３４に、継手ナット３４ａを介して継手されている。
【００６４】
また、前記第１ナット３５は、前記連結ボックス３１にその開口部３１ａから挿入されたうえで、前記第１ボルト３２に螺合して締め付けられている。
また、前記第２ナット３６は、前記連結ボックス３１にその開口部３１ａから挿入されたうえで、前記第２ボルト３３に螺合している。
【００６５】
さらに、前記第３ナット３７は、前記第２ボルト３３に、前記第２ナット３６とともに前記連結ボックス３１の端面を形成する壁部を挟むようにして、かつ該連結ボックス３１の端面を形成する壁部との間に座金３７ａを介して螺合している。なお、この第３ナット３７は、前記第２ボルト３３を前記連結ボックス３１に挿し込む前に、前記第２ボルト３３に対して予め螺合している。
【００６６】
そして、前記第２ナット３６および第３ナット３７がスパナやレンチ等の工具によって締め付けられており、これによって、前記梁３用の建築構造材２０の一対の棒状部材２１，２１のうち、下方に位置する棒状部材２１と、前記柱２用の建築構造材２０の棒状部材２１とを強固に連結することができる。
【００６７】
次に、建物下階の柱２を構成する建築構造材２０と、建物上階の柱２を構成する建築構造材２０とを接合してなる建築構造材２０の接合構造について説明する。
【００６８】
すなわち、図５に示すように、前記建築構造材２０を垂直に配置してなる建物下階の柱２の上方に、前記建築構造材２０を水平に配置してなる梁３と建物上階の床（胴差９および床パネル１１）とを介して、前記建築構造材２０を垂直に配置してなる建物上階の柱２が設けられており、これら建物下階および建物上階の柱２用の建築構造材２０，２０同士は、前記梁３用の建築構造材２０と建物上階の床（例えば胴差９および床パネル１１）とを介して、互いの棒状部材２１，２１同士を連結金具３０によって連結するようにして接合されている。
【００６９】
そして、前記梁３用の建築構造材２０の一端部は、前記建物下階の柱２用の建築構造材２０の上端部に、該梁３用の建築構造材２０の一対の棒状部材２１，２１のうちの上方に位置する棒状部材２１を、前記建物下階の柱２用の建築構造材２０の上端面に載置するようにして取り付けられている。
また、前記上階の床（例えば胴差９および床パネル１１）の端部は、前記梁３用の建築構造材２０の上方に位置する棒状部材２１の上面に載置されている。
また、前記梁３用の建築構造材２０の上方の棒状部材２１と上階の床（例えば胴差９および床パネル１１）の端部とには、前記建物下階および建物上階の柱２用の建築構造材２０，２０の一対の棒状部材２１，２１同士をそれぞれ結ぶ直線に沿って貫通孔２７が形成されている。
【００７０】
そして、前記連結金具３０の連結ボックス３１は、前記建物下階の柱２用の建築構造材２０の一対の棒状部材２１，２１の端面と、前記建物上階の柱２用の建築構造材２０の一対の棒状部材２１，２１の端面との間に、前記梁３の建築構造材の上方に位置する棒状部材２１と上階の床とを介して、それぞれ配置されている。
つまり、この連結ボックス３１は、前記梁３の建築構造材の上方に位置する棒状部材２１と上階の床との当接部分の上面と、前記建物上階の柱２用の建築構造材２０の一対の棒状部材２１，２１の下端面との間に配置されている。
また、前記第１ボルト３２は、前記建物上階の柱２用の建築構造材２０の一対の棒状部材２１，２１の下端面にそれぞれ埋設固定され、前記連結ボックス３１に挿し込まれている。
【００７１】
また、前記第２ボルト３３は、前記建物下階の柱２用の建築構造材２０を構成する一対の棒状部材２１，２１に形成されたボルト挿通孔２１ｃ，２１ｃ挿入固定された延長ボルト３４に、継手ナット３４ａを介して継手されている。
さらに、この第２ボルト３３は、前記連結ボックス３１にそれぞれ挿し込まれるとともに前記貫通孔２７に挿通されている。
【００７２】
また、前記第１ナット３５は、前記連結ボックス３１にその開口部３１ａから挿入されたうえで、前記第１ボルト３２に螺合して締め付けられている。
また、前記第２ナット３６は、前記連結ボックス３１にその開口部３１ａから挿入されたうえで、前記第２ボルト３３に螺合している。
【００７３】
さらに、前記第３ナット３７は、前記第２ボルト３３に、前記第２ナット３６とともに前記連結ボックス３１の端面を形成する壁部を挟むようにして、かつ該連結ボックス３１の端面を形成する壁部との間に座金３７ａを介して螺合している。なお、この第３ナット３７は、前記第２ボルト３３を前記連結ボックス３１に挿し込む前に、前記第２ボルト３３に対して予め螺合している。
【００７４】
そして、前記第２ナット３６および第３ナット３７がスパナやレンチ等の工具によって締め付けられており、これによって、建物下階の柱２を構成する建築構造材２０と、建物上階の柱２を構成する建築構造材２０とを強固に連結することができる。
【００７５】
次に、建物下階の柱２用の建築構造材２０と基礎５とを連結してなる建築構造材２０と基礎５との連結構造について説明する。
【００７６】
ずなわち、図６に示すように、前記基礎５は、この基礎５の上面から上方に突出するとともに、互いに所定の間隔をあけて配置されたアンカーボルト５ａ，５ａを備えている。
また、この基礎５の上面には、前記土台６が設けられている。この土台６には、前記アンカーボルト５ａ，５ａを貫通させるための貫通孔６ａ，６ａが形成されており、前記アンカーボルト５ａ，５ａの上端部は、前記土台６の上面よりも上方に突山している。
【００７７】
このような土台６の上面に前記建築構造材２０を垂直に配置してなる建物下階の柱２が立設されている。
この柱２を構成する建築構造材２０は、一対の棒状部材２１，２１と、これら一対の棒状部材２１，２１間に設けられる木質パネル２３とを備えており、一対の棒状部材２１，２１と、前記アンカーボルト５ａ，５ａとが連結金具３０によって連結されている。
【００７８】
そして、前記連結金具３０の連結ボックス３１は、前記一対の棒状部材２１，２１の下端面と、前記土台６の上面との間に配置されている。
また、前記第１ボルト３２は、前記一対の棒状部材２１，２１の下端面に埋設固定されるとともに、前記連結ボックス３１に挿し込まれている。
【００７９】
なお、この柱２用の建築構造材２０と基礎５との連結時には、第２ボルト３３の代わりに前記アンカーボルト５ａ，５ａが、前記連結ボックス３１に挿し込まれている。
また、前記第１ナット３５は、前記連結ボックス３１にその開口部３１ａから挿入されたうえで、前記第１ボルト３２に螺合して締め付けられている。
また、前記第２ナット３６は、前記連結ボックス３１にその開口部３１ａから挿入されたうえで、前記アンカーボルト５ａ，５ａに螺合している。
【００８０】
さらに、前記第３ナット３７は、前記アンカーボルト５ａに、前記第２ナット３６とともに前記連結ボックス３１の端面を形成する壁部を挟むようにして、かつ該連結ボックス３１の端面を形成する壁部との間に座金３７ａを介して螺合している。なお、この第３ナット３７は、前記アンカーボルト５ａを前記連結ボックス３１に挿し込む前に、前記第２ボルト３３に対して予め螺合している。
【００８１】
そして、前記第２ナット３６および第３ナット３７がスパナやレンチ等の工具によって締め付けられており、これによって、建物下階の柱２用の建築構造材２０と基礎５とを強固に連結することができる。
【００８２】
なお、図４〜図７に示すように、前記角材２１ａの端部には、この角材２１ａの端面および外周面を覆う座金３８が設けられている。
角材２１ａの下端外周部には  後述する環状部３８ｂが装着される装着面２１ｅが形成されている。装着面２１ｅは角材２１ａの下端外周部を周方向に沿って所定の幅で所定の深さだけ削って形成されたものであり、角材２１ａの外周面（側面）との間に所定の段差を有している。
【００８３】
前記座金３８は、角材２１ａの下端部に取り付けられるものであり、平板部３８ａと環状部３８ｂとを備えて構成されている。
平板部３８ａは正方形板状のものであり、角材２１ａの下端面と略等しい大きさに形成されている。また、平板部３８ａの中央部には、第１ボルト３２の直径と略等しい内径のボルト挿通孔３９が形成されている。さらに、平板部３８ａにはボルト挿通孔３９を挟んでビス穴４０，４０が平板部３８ａの対角方向に離間して形成されている。
環状部３８ｂは平板部３８ａの外周部に沿って正方形環状に、かつ、平板部３８ａに対して直角に形成されている。また、環状部３８ｂの高さは前記装着面２１ｅの幅と略等しくなっており、環状部３８ｂの厚さは、装着面２１ｅと角材２１ａの外周面との間の段差と略等しくなっている。
さらに、座金３８の４つの角部には、角穴３８ｃがそれぞれ形成されている。
【００８４】
このように構成された座金３８は、平板部３８ａの裏面を角材２１ａの下端面に当接するともに、ボルト挿通孔３９に前記第１ボルト３２を挿通し、さらに、環状部３８ｂを角材２１ａの下端外周部の装着面２１ｅに外嵌して取り付けられている。この状態において、ボルト挿通孔３９と第１ボルト３２とは同軸に配置され、かつ、第１ボルト３２の先端部（下端部）は座金３８の平板部３８ａより所定の長さだけ突出している。また、平板部３８ａに形成されたビス穴４０，４０には木ねじ４０ａ，４０ａが挿通され、角材２１ａの下端面にねじ込まれている。これによって、座金３８は角材２１ａの下端部に強固に固定されている。さらに、座金３８の角穴３８ｃに、角材２１ａの下端面の４つの角部が露出しており、これによって、角材２１ａの下端面を座金３８の平板部３８ａの裏面に確実に当接させるとともに、角材２１ａの下端面の４つの角部の潰れを防止している。
【００８５】
次に、前記建築構造材２０を用いて建物を施工する建物の施工方法について説明する。
【００８６】
まず、図３に示すように、前記梁３用の建築構造材２０を、前記木質パネル２３の上下縁部にそれぞれ前記角材２１ａを固定してなる梁構成部材３ａ，３ａ，３ａとして複数に分割しておく。
なお、中央の梁構成部材３ａは左右両側の梁構成部材３ａ，３ａより左右の長さが長くなっており、左右の梁構成部材３ａ，３ａは左右の向きが互いに逆となっている。
また、これら中央の梁構成部材３ａの両端部と、左右両側の梁構成部材３ａ，３ａの中央側端部とは、互いに係合できるように構成されている。
すなわち、中央の梁構成部材３ａの棒状部材２１，２１の長さは、腹材２２の長さよりも所定長さ分、短くなるように設定されるとともに、これら棒状部材２１，２１の側端部が腹材２２の側端部よりも中央側に位置している。さらに、この中央の梁構成部材３ａの一対の棒状部材２１，２１のうち、上方に位置する棒状部材２１は、下方に位置する棒状部材２１よりも長さが長くなるように形成されている。
また、左右両側の梁構成部材３ａ，３ａの棒状部材２１，２１の長さは、腹材２２の長さよりも所定長さ分、長くなるように設定されている。
さらに、これら左右両側の梁構成部材３ａ，３ａのそれぞれの一対の棒状部材２１，２１のうち、上方に位置する棒状部材２１，２１の中央側端部は、腹材２２の中央側端部と揃うようにして設けられており、連結金具３０が取り付けられる分の長さだけ、中央側へと突出している。また、下方に位置する棒状部材２１，２１の中央側端部は、腹材２２の中央側端部よりも中央側に突出しており、その突出方向側端部に連結金具３０が取り付けられている。また、これに伴って、前記中央の梁構成部材３ａの一対の棒状部材２１，２１の長さも設定されているものとする。
【００８７】
また、左右両側の梁構成部材３ａ，３ａのそれぞれの一対の棒状部材２１，２１のうち、上方に位置する棒状部材２１，２１は、前記腹材２２の外側端部よりも外側に突出している。そして、この突出する部分が前記柱２用の建築構造材２０の上端面に載置されるようになっている。
【００８８】
続いて、前記左右両側の梁構成部材３ａ，３ａのそれぞれの棒状部材２１，２１の中央側端部に、第１ボルト３２をそれぞれ埋設固定する。
そして、これら第１ボルト３２を、連結ボックス３１のボルト挿通孔を通して挿し込み、この第１ボルト３２に連結ボックス３１の開口部３１ａから挿入された第１ナット３５を螺合して締め付けることによって、前記左右両側の梁構成部材３ａ，３ａのそれぞれの棒状部材２１，２１の中央側端部に、それぞれ連結ボックス３１を取り付ける。
また、これら左右両側の梁構成部材３ａ，３ａのそれぞれの下方に位置する棒状部材２１，２１の外側端部にも、第１ボルト３２を埋設固定しておくとともに、連結ボックス３１を取り付けておく。
さらに、前記中央の梁構成部材３ａの棒状部材２１，２１の両側端部に、第２ボルト３３をそれぞれ埋設固定しておく。
【００８９】
続いて、前記建築構造材２０を垂直に配置してなる柱２を、床上に、互いに所定の間隔をあけて複数配置する。
また、これら柱２用の建築構造材２０の中央側に位置する棒状部材２１，２１の中央側側面に、端部が中央側に水平に突出するようにして第２ボルト３３を埋設固定しておく。
【００９０】
そして、図４に示すように、前記柱２用の建築構造材２０，２０の上端面に、前記左右両側の梁構成部材３ａ，３ａのそれぞれの上方に位置する棒状部材２１，２１を載置しながら、下方に位置する棒状部材２１，２１の外側端部を、前記柱２用の建築構造材２０の中央側に位置する棒状部材２１に取り付ける。
この時、前記柱２側の第２ボルト３３を、左右両側の梁構成部材３ａ，３ａ側の連結ボックス３１のボルト挿通孔を通して挿し込み、この第２ボルト３３に連結ボックス３１の開口部３１ａから挿入された第２ナット３６を螺合して締め付けるようにする。
なお、前記柱２用の建築構造材２０，２０と、これら柱２用の建築構造材２０，２０の上端面にされた前記左右両側の梁構成部材３ａ，３ａのそれぞれの上方に位置する棒状部材２１，２１とは、単に載置するだけでなく、接着剤や釘等の止着材を用いて接合してもよい。
【００９１】
続いて、図２および図３に示すように、前記柱２用の建築構造材２０，２０の上端部に取り付けられた左右両側の梁構成部材３ａ，３ａ間に、前記中央の梁構成部材３ａを架け渡すようにして取り付ける。
この時、前記中央の梁構成部材３ａの棒状部材２１，２１の両側端部にそれぞれ埋設固定された第２ボルト３３を、前記左右両側の梁構成部材３ａ，３ａの棒状部材２１，２１の中央側端部に取り付けられた連結ボックス３１のボルト挿通孔を通して挿し込み、この第２ボルト３３に連結ボックス３１の開口部３１ａから挿入された第２ナット３６を螺合して締め付けるようにする。
【００９２】
以上のように、前記複数の柱２，２の上端部間に、前記複数の梁構成部材３ａ，３ａ同士を連結していくことで、これら複数の柱２，２の上端部間に前記梁３用の建築構造材２０を架設できるようになっている。
【００９３】
なお、本実施の形態の梁構成部材３ａ，３ａ，３ａは、図３に示すような構成とされているが、これに限られるものではなく、適宜変更可能である。
例えば、図８に示す梁３用の建築構造材２０は、中央の梁構成部材３ｂと、左右両側の梁構成部材３ｂ，３ｂとを備えている。中央の梁構成部材３ｂは左右両側の梁構成部材３ｂ，３ｂより左右の長さが長くなっており、左右の梁構成部材３ｂ，３ｂは左右の向きが互いに逆となっている。また、これら中央の梁構成部材３ｂの両端部と、左右両側の梁構成部材３ｂ，３ｂの中央側端部とは、互いに係合できるように構成されている。
また、中央の梁構成部材３ｂの一対の棒状部材２１，２１は略等しい長さに設定されている。また、左右両側の梁構成部材３ｂ，３ｂのそれぞれの一対の棒状部材２１，２１の中央側端部は、腹材２２の中央側端部と揃うようにして設けられており、連結金具３０が取り付けられる分の長さだけ、中央側へと突出している。また、これに伴って、前記中央の梁構成部材３ｂの一対の棒状部材２１，２１の長さも設定されているものとする。
このような構成の梁構成部材３ｂ，３ｂ，３ｂであっても、図３に示す梁構成部材３ａ，３ａ，３ａと同様に、梁３用の建築構造材２０として用いることができる。
【００９４】
なお、前記建築構造材２０を用いて建物を施工する建物の施工方法は、以上のように、前記複数の柱２，２の上端部間に、前記複数の梁構成部材３ａ，３ａ同士を連結していく方法に限られるものではない。
すなわち、まず、前記建築構造材２０を垂直に配置してなる柱２を、床上に、互いに所定の間隔をあけて複数配置する。
【００９５】
続いて、前記梁３用の建築構造材２０の下縁に設けられる棒状部材２１を、前記複数の柱２，２の上端部間に、該棒状部材２１を構成する複数の角材２１ａ，２１ａを軸方向に連結しながら架設する。
【００９６】
続いて、これら複数の柱２，２間に架設された棒状部材２１の上面に、該棒状部材２１の長手方向に沿って前記複数の木質パネル２３，２３を取り付けるとともに、該複数の木質パネル２３，２３を、前記複数の柱２，２の上端部間に架設する。
【００９７】
そして、これら複数の柱２，２間に架設された複数の木質パネル２３，２３の上面に沿って、前記梁３用の建築構造材２０の上縁に設けられる棒状部材２１を取り付けるとともに、該棒状部材２１を、前記複数の柱２，２の上端部間に架設する。
【００９８】
なお、複数の角材２１ａ，２１ａ同士も、前記梁３用の建築構造材２０の下縁に設けられる棒状部材２１の外側端部と、前記柱２用の前記柱２用の建築構造材２０，２０の中央側に位置する棒状部材２１，２１同士も、上述の建物の施工方法と同様に、連結金具３０によって連結する。
【００９９】
以上のように、前記複数の柱２，２の上端部間に、前記梁３用の建築構造材２０を構成する下方の棒状部材２１と、木質パネル２３と、上方の棒状部材２１とを順番に、かつ別個に架設することで、これら複数の柱２，２の上端部間に前記梁３用の建築構造材２０を架設できるようになっている。
このような建物の施工方法を採用して建物を施工してもよいものとする。
【０１００】
なお、このように梁３をなるべく長く構成することによって、建物の内部空間を広く取ることができるので、間取り等の可変性を向上させることができる。このためにも、前記建築構造材２０の強度をできる限り高めておく必要がある。
【０１０１】
本実施の形態によれば、長手方向と直交する方向に所定の間隔をあけて配置される一対の棒状部材２１，２１と、これら一対の棒状部材２１，２１間に設けられる腹材２２とを備えており、この腹材２２は、縦横の框材２４ａを矩形枠状に組み立ててなる枠体２４と、この枠体２４の両面に貼設される面材２５とを有する木質パネル２３で構成されているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を柱や梁として用いることによって、屋根や床等の上部構造の荷重や積載荷重を確実かつ十分に支持することが可能な建物躯体１を構成することができるので、建物躯体１の長期的な耐久性の維持を実現することが可能となる。
【０１０２】
また、前記棒状部材２１および框材２４ａは角材からなるので、これら棒状部材２１および框材２４ａそれぞれを適宜加工したり、これら棒状部材２１と框材２４ａとを互いに接合しやすい。
【０１０３】
また、前記棒状部材２１の角材と木質パネル２３とは同一厚さに形成され、面一に接合されるので、これら互いに接合された棒状部材２１の角材と木質パネル２３との表面に、例えば防水シートや内外装材等を取り付ける際に支障となる段差等が生じるのを防ぐことができ、防水シートや内外装材等を確実に取り付けることができる。
【０１０４】
また、前記一対の棒状部材２１，２１は、それぞれ複数の角材２１ａ，２１ａを軸方向に連結することによって構成されており、前記腹材２２を構成する木質パネル２３は、前記一対の棒状部材２１，２１の長手方向に連続して複数配置されており、これら複数の木質パネル２３，２３の棒状部材２１側の縁部は、それぞれ前記一対の棒状部材２１，２１に接合されているので、建築構造材２０を分割しておくことができる。
これによって、長尺で輸送しにくい建築構造材２０であっても予め分割しておくことができるので、容易に輸送することができる。しかも、現場等で、分割された部材同士を連結すれば、高強度な建築構造材２０を確実に得ることができる。
【０１０５】
また、前記建築構造材２０を垂直に配置してなる柱２を、互いに所定の間隔をあけて複数配置するとともに、これら複数の柱２用の建築構造材２０，２０の上端部間に、前記建築構造材２０を水平に配置してなる梁３を架設することによって形成されているので、高い強度の建築構造材２０同士を門型に組み合わせてなる高い強度の門型フレーム４を得ることができる。
また、このような門型フレーム４を用いることで、屋根や床等の上部構造の荷重や積載荷重を確実かつ十分に支持することが可能な建物躯体１を構成することができるので、建物躯体１の長期的な耐久性の維持を実現することが可能となる。
【０１０６】
また、前記梁３用の建築構造材２０の一対の棒状部材２１，２１のうち、上方に位置する棒状部材２１は、前記柱２用の建築構造材２０の上端面に載置されており、下方に位置する棒状部材２１は、前記柱２用の建築構造材２０の棒状部材２１の側面に取り付けられているので、前記上方に位置する棒状部材２１と、前記柱２用の建築構造材２０とを梁勝ち納まりとすることができ、前記下方に位置する棒状部材２１と、前記柱２用の建築構造材２０とを柱勝ち納まりとすることができる。
これによって、前記柱２と梁３とを、単に梁勝ちに納めたり、単に柱勝ちに納めたりする場合に比して強固に接合できるので、より高い強度の門型フレーム４を得ることができる。
【０１０７】
また、前記梁３用の建築構造材２０を、前記木質パネル２３の上下縁部にそれぞれ前記角材２１ａを固定してなる梁構成部材３ａとして複数に分割しておき、互いに所定の間隔をあけて柱２を複数配置した後、これら複数の柱２，２の上端部間に、前記複数の梁構成部材３ａ，３ａ同士を連結していくことで前記梁３用の建築構造材２０を架設するので、前記梁３用の建築構造材２０が輸送しにくい長さに設定されていたとしても容易に輸送することができる。
また、前記梁構成部材３ａを、前記木質パネル２３の上下縁部にそれぞれ前記角材２１ａを固定することによって形成するので、前記角材２１ａと木質パネル２３とを別個に前記柱２，２の上端部間に架設していく場合に比して、効率よく前記梁３用の建築構造材２０を前記柱２，２の上端部間に架設することができる。
また、前記建築構造材２０は、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備えているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を、建物躯体１を構成する柱２および梁３のうち、少なくとも梁３として用いることによって、屋根や床等の上部構造の荷重や積載荷重を確実かつ十分に支持することが可能な建物躯体１を構成することができるので、建物躯体１の長期的な耐久性の維持を実現することが可能となる。
【０１０８】
また、前記梁３用の建築構造材２０の下縁に設けられる棒状部材２１を、前記複数の柱２，２の上端部間に、該棒状部材２１を構成する複数の角材２１ａ，２１ａを軸方向に連結しながら架設し、これら複数の柱２，２間に架設された棒状部材２１の上面に、該棒状部材２１の長手方向に沿って前記複数の木質パネル２３，２３を取り付けるとともに、該複数の木質パネル２３，２３を、前記複数の柱２，２の上端部間に架設し、これら複数の柱２，２間に架設された複数の木質パネル２３，２３の上面に沿って、前記梁３用の建築構造材２０の上縁に設けられる棒状部材２１を取り付けるとともに、該棒状部材２１を、前記複数の柱２，２の上端部間に架設するので、前記梁３用の建築構造材２０が輸送しにくい長さに設定されていたとしても容易に輸送することができる。
また、前記複数の角材２１ａ，２１ａと、前記複数の木質パネル２３とを別個に前記柱２の上端部間に架設することができるので、これら複数の角材２１ａ，２１ａと複数木質パネル２３とを、それぞれ正確に、前記柱２の上端部間に架設することができ、延いては前記梁３用の建築構造材を、前記柱２の上端部間に正確に架設することが可能となる。
また、前記建築構造材２０は、長手方向と直交する方向に所定の間隔をあけて配置される一対の棒状部材２１，２１と、これら一対の棒状部材２１，２１間に設けられるとともに、縦横の框材２４ａを矩形枠状に組み立ててなる枠体２４と、この枠体２４の両面に貼設される面材２５とを有する木質パネル２３で構成された腹材２２とを備えているので、腹材２２自体の強度を確保できる。さらに、この高強度な腹材２２を一対の棒状部材２１，２１間に挟み込むようにして設けるので、例えば腹材２２だけで建築構造材２０を形成するよりも、さらに高い強度の建築構造材２０を得ることができる。
そして、このような建築構造材２０を、建物躯体１を構成する柱２および梁３のうち、少なくとも梁３として用いることによって、屋根や床等の上部構造の荷重や積載荷重を確実かつ十分に支持することが可能な建物躯体１を構成することができるので、建物躯体１の長期的な耐久性の維持を実現することが可能となる。
【０１０９】
また、前記複数の角材２１ａ，２１ａ同士を、前記連結金具３０によって連結するので、前記一方の角材２１ａに埋設固定した第１ボルト３２を連結ボックス３１に挿し込み、この第１ボルト３２に連結ボックス３１の開口部３１ａから挿入された第１ナット３５を螺合して締め付けるとともに、前記他方の角材２１ａに埋設固定した第２ボルト３３を前記連結ボックス３１に挿し込み、この第２ボルト３３に前記開口部３１ａから挿入された第２ナット３６を螺合して締め付けることによって、前記角材２１ａ，２１ａ同士を強固に連結して、前記一対の棒状部材２１，２１を形成でき、前記木質パネル２３の上下縁部をそれぞれ前記一対の棒状部材２１，２１に接合することによって、より高強度の建築構造材２０を得ることができる。
【０１１０】
また、前記角材２１ａの端部には、この角材２１ａの端面および外周面を覆う座金３８が設けられているので、この座金３８によって前記角材２１ａの端部を外側から補強できる。また、座金３８は、角材２１ａの端部の保護や緩み防止の機能を発揮することができる。
【符号の説明】
【０１１１】
１  建物本体
２  柱
３  梁
４  門型フレーム
２０  建築構造材
２１  棒状部材
２２  腹材
２３  木質パネル
【図１】
0005528127.tif 000002
【図２】
0005528127.tif 000003
【図３】
0005528127.tif 000004
【図４】
0005528127.tif 000005
【図５】
0005528127.tif 000006
【図６】
0005528127.tif 000007
【図７】
0005528127.tif 000008
【図８】
0005528127.tif 000009